(57)【要約】【課題】  複数の有機ＥＬパネルを用いた、見栄えが良好な有機ＥＬ表示装置を提供する。【解決手段】  ケース体４０は、第一の有機ＥＬパネル２１Ａに対応する第一の窓部４１Ａ及び第二の有機ＥＬパネル２１Ｂに対応する第二の窓部４１Ｂを有すると共に、第一の有機ＥＬパネル２１Ａ及び第二の有機ＥＬパネル２１Ｂを収容する。第一の窓部４１Ａ及び第二の窓部４１Ｂを覆うように円偏光部材４４を設ける。円偏光部材４４の後側の少なくとも第一の窓部４１Ａ及び第二の窓部４１ｂの周囲に反射部材４５を設ける。【選択図】図１
2005071944.tif 000002
【特許請求の範囲】
【請求項１】
第一の有機ＥＬパネルと、第二の有機ＥＬパネルと、前記第一の有機ＥＬパネル及び前記第二の有機ＥＬパネルを覆うように設けられた円偏光部材と、を有することを特徴とする有機ＥＬ表示装置。
【請求項２】
前記円偏光部材の後側の少なくとも前記第一の有機ＥＬパネル及び第二の有機ＥＬパネルの周囲に反射部材を設けたことを特徴とする請求項１に記載の有機ＥＬ表示装置。
【請求項３】
第一の有機ＥＬパネルと、第二の有機ＥＬパネルと、前記第一の有機ＥＬパネルに対応する第一の窓部及び前記第二の有機ＥＬパネルに対応する第二の窓部を有すると共に前記第一の有機ＥＬパネル及び前記第二の有機ＥＬパネルを収容するケース体と、少なくとも前記第一の窓部及び前記第二の窓部を覆うように設けられた円偏光部材と、を有することを特徴とする有機ＥＬ表示装置。
【請求項４】
前記円偏光部材の後側の少なくとも前記第一の窓部及び第二の窓部の周囲に反射部材を設けたことを特徴とする請求項３に記載の有機ＥＬ表示装置。
【請求項５】
前面に前記円偏光部材が貼着され、後面に前記反射部材は貼着される透光性基板を設けたことを特徴とする請求項２または請求項４に記載の有機ＥＬ表示装置。
【発明の詳細な説明】
【技術分野】
【０００１】
本発明は、第一電極と第二電極の間に少なくとも発光層を有する有機層を挟持した積層体を基板に形成した有機ＥＬパネルを備えた有機ＥＬ表示装置に関するものである。
【背景技術】
【０００２】
従来より、有機ＥＬパネルが種々提案されており、例えば特許文献１及び特許文献２に開示されている。有機ＥＬパネル１は、ガラス基板２に積層体３を形成したものであり、この積層体３は、透明電極４，絶縁層５，有機層６，背面電極７を有する（図５参照）。有機層６は正孔注入層，正孔輸送層，発光層及び電子輸送層からなるものであり、透明電極４と背面電極７に挟持されている。積層体３は封止ガラス８に覆われており、この封止ガラス８はガラス基板２に接着剤９により接着されている。
【０００３】
透明電極４は、陽極部４ａ及び陰極端子部４ｂを有している。背面電極７は陰極端子部４ｂと導通されており、有機ＥＬパネル１は陽極部４ａと陰極端子部４ｂに電源を接続することにより発光部Ｐが光輝する。
【特許文献１】特開２００１−２６７０６６号公報
【特許文献２】特開平９−１２７８８５号公報
【０００４】
有機ＥＬパネル１の前面には、直線偏光板１０及び複屈折板１１からなる円偏光板１２が貼着されている。円偏光板１２は、有機ＥＬパネル１の表示光のコントラスト比を向上させるために設けられるものである（例えば、前記特許文献２参照）。
図６及び図７に基づいて円偏光板１２について詳述する。円偏光板１２は、偏光軸１０Ａを有する直線偏光板１０と、遅相軸１１Ａを有する複屈折板１１とからなるものである。
【０００５】
外光ａ１は直線偏光板１０を通過して直線偏光ａ２となり、更に複屈折板１２を通過して右円偏光ａ３となる。そして、有機ＥＬパネル１の背面電極７により前向きに反射され左円偏光ａ４となり、複屈折板１１を通過して直線偏光ａ５となる。直線偏光ａ５は、偏光軸１０Ａに直交しているため、直線偏光板１０を通過することができない。従って、外光ａ１が有機ＥＬパネル１に入射し背面電極７により反射されても直線偏光板１０により遮られる（図４参照）。表示光は直線偏光板１０を通過して直線偏光ａ６になる（図５参照）。このように、表示光は直線偏光板１０を通過できるが、有機ＥＬパネル１の背面電極７で反射された外光は直線偏光板１０を通過しないため、有機ＥＬパネル１の表示のコントラスト比が良好になる。なお、複屈折板１１は１／４波長板と称されることもある。
【０００６】
図８及び図９は、ケース体１４に複数の有機ＥＬパネル１Ａ〜１Ｅを収容した有機ＥＬ表示装置を示すものである。ケース体１４には、５個の有機ＥＬパネル１Ａ〜１Ｅと、これらの有機ＥＬパネル１Ａ〜１Ｅを駆動するドライバ回路１５が搭載された駆動回路基板１６と、メイン回路基板１７とが収容されている。ケース体１４には、各有機ＥＬパネル１Ａ〜１Ｅに対応する窓部１８Ａ〜１８Ｅが夫々形成されている。
【発明の開示】
【発明が解決しようとする課題】
【０００７】
しかしながら、各有機ＥＬパネル１Ａ〜１Ｅに貼着された円偏光板１２と、ケース体１４の前面１４ａとに段差Ｄがあり、また、円偏光板１２と前面１４ａとの色調が相違するため、有機ＥＬ表示装置の正面視での外観としては、必ずしも好ましいものではなかった。この問題を解決するため、大型の１枚の有機ＥＬパネルを用いることが考えられるが、そのような大型の有機ＥＬパネルは高価であるため、有機ＥＬ装置を安価に提供できないという問題を有していた。
本発明は、複数の有機ＥＬパネルを用いた、見栄えが良好な有機ＥＬ表示装置を提供するものである。
【課題を解決するための手段】
【０００８】
本発明は、請求項１に記載したように、第一の有機ＥＬパネルと、第二の有機ＥＬパネルと、前記第一の有機ＥＬパネル及び前記第二の有機ＥＬパネルを覆うように設けられた円偏光部材と、を有するものである。
【０００９】
また、本発明は、請求項２に記載したように、前記円偏光部材の後側の少なくとも前記第一の有機ＥＬパネル及び第二の有機ＥＬパネルの周囲に反射部材を設けたものである。
【００１０】
また、本発明は、請求項３に記載したように、第一の有機ＥＬパネルと、第二の有機ＥＬパネルと、前記第一の有機ＥＬパネルに対応する第一の窓部及び前記第二の有機ＥＬパネルに対応する第二の窓部を有すると共に前記第一の有機ＥＬパネル及び前記第二の有機ＥＬパネルを収容するケース体と、少なくとも前記第一の窓部及び前記第二の窓部を覆うように設けられた円偏光部材と、を有するものである。
【００１１】
また、本発明は、請求項４に記載したように、前記円偏光部材の後側の少なくとも前記第一の窓部及び第二の窓部の周囲に反射部材を設けたものである。
【００１２】
また、本発明は、請求項５に記載したように、前面に前記円偏光部材が貼着され、後面に前記反射部材は貼着される透光性基板を設けたものである。
【発明の効果】
【００１３】
複数の有機ＥＬパネルを用いていながら、各有機ＥＬパネルによる表示に一体感があり、有機ＥＬ表示装置の外観が良好になる。
【発明を実施するための最良の形態】
【００１４】
以下、添付の図面に基づいて、本発明の一実施形態について説明する。
【００１５】
２１Ａ〜２１Ｅは、透光性基板２２上に積層体２３を形成した有機ＥＬパネルである。積層体２３は、第一電極２４，有機層２５，第二電極２６を有している（図２参照）。透明電極２４は、酸化インジウム（In２O３）と酸化スズ（SnO２）の混合物であるＩＴＯ（Indium
Tin Oxide）からなるものであり、スパッタリング或いは蒸着等の手段によって形成されている。
【００１６】
有機層２５は、正孔注入層２５ａ，正孔輸送層２５ｂ，発光層２５ｃ及び電子輸送層２５ｄからなるものである（図３参照）。なお、有機層２５は、少なくとも発光層２５ｃがあれば良いが、本実施形態のように正孔注入層２５ａ，正孔輸送層２５ｂ及び電子輸送層２５ｄを設けることにより、発光輝度を向上させることができる。第二電極２６は、アルミニウム（Al）からなるものであり、蒸着法等の手段によって有機層２５上に形成されている。２７は封止ガラスであり、この封止ガラス２７は少なくとも有機層２５及び第二電極２６を覆うようにして透光性基板２２に接着されている。
【００１７】
２８は可撓性配線板であり、この可撓性配線板２８の一端は有機ＥＬパネル２１Ａ〜２１Ｅに電気的に接続され、他端は後述する駆動回路基板に電気的に接続される。可撓性配線板２８は、ポリイミドからなる可撓性基板２９と、この可撓性基板２９に形成された銅箔からなる導電部３０とを有するものである。
３２は駆動回路基板であり、この駆動回路基板３２には有機ＥＬパネル２１を駆動するドライバ回路３３が搭載されている。駆動回路基板３２は、ガラスエポキシ樹脂からなる硬質基板３４上に銅箔からなる配線パターン３５を形成したものである。
【００１８】
３７はメイン回路基板であり、このメイン回路基板３７は駆動回路基板３２と配線コード３８によって電気的に接続されている。４０はケース体であり、このケース体４０に、有機ＥＬパネル２１Ａ〜２１Ｅ，駆動回路基板３２及びメイン回路基板３７が収容される。ケース体４０の前面側には、有機ＥＬパネル２１Ａ〜２１Ｅに夫々対応する矩形の窓部４１Ａ〜４１Ｅが形成されている。
【００１９】
４３はポリカーボネート等の透光性樹脂からなる透光性基板であり、この透光性基板４３は後述する反射板を介してケース体４０の前面に貼着されている。４４は円偏光板であり、この円偏光板４４は透光性基板４３の前面に貼着されている。円偏光板４４は、直線偏光板及び複屈折板を有するものである。４５は反射板であり、この反射板４５は透光性基板４３の後面に貼着されている。反射板４５には、窓部４１Ａ〜４１Ｅよりも若干小さな矩形の開口部４５が形成されている。
【００２０】
本実施形態によれば、ケース体４０の前面側が円偏光板４４によって覆われており、有機ＥＬ表示装置の正面視での色調が一様であり、且つ、ケース体４０の前面と有機ＥＬパネル２１Ａ〜２１Ｅとの段差が目立たない。なお、反射板４５は無くても良いが、反射板４５を設けることにより、外光が入射したときに、有機ＥＬパネル２１Ａ〜２１Ｅの第二電極２６と同様に、反射板４５によって外光が反射するため、更に見栄えが向上する。また、本実施形態の反射部材は反射板４５であったが、例えば透光性基板４３の後面に蒸着形成された反射層であっても良い。
【図面の簡単な説明】
【００２１】
【図１】本発明の実施形態を示す断面図。
【図２】同上実施形態を示す要部拡大断面図。
【図３】同上実施形態を示す有機層の拡大断面図。
【図４】同上実施形態を示す正面図。
【図５】従来例を示す有機ＥＬパネルの断面図。
【図６】同上従来例を示す円偏光板の説明図。
【図７】同上従来例を示す円偏光板の説明図。
【図８】他の従来例を示す断面図。
【図９】同上他の従来例を示す正面図。
【符号の説明】
【００２２】
２１Ａ〜２１Ｅ  有機ＥＬパネル
４０  ケース体
４１Ａ〜４１Ｅ  窓部
４３  透光性基板
４４  円偏光板（円偏光部材）
４５  反射板（反射部材）
【図１】
2005071944.tif 000003
【図２】
2005071944.tif 000004
【図３】
2005071944.tif 000005
【図４】
2005071944.tif 000006
【図５】
2005071944.tif 000007
【図６】
2005071944.tif 000008
【図７】
2005071944.tif 000009
【図８】
2005071944.tif 000010
【図９】
2005071944.tif 000011